(57)【要約】【課題】廃水処理装置における傾斜板沈降装置において、設置角度を簡単に可変できる傾斜板▲９▼が無かった。その為、傾斜板▲９▼の清掃が困難であり沈殿物に粘性がある廃水には、傾斜板沈降装置の適用が困難であった。【解決手段】　本発明は、図−１に示す前後２枚の傾斜板▲９▼支持支点（穴▲１６▼、穴▲１７▼）を平行四辺形とし、傾斜板▲９▼の支持部材の接合点、固定支点▲１▼、固定支点▲２▼、移動支点▲３▼、移動支点▲４▼、を平行四辺形とする事により、傾斜板▲９▼の設置角度の変更が簡単にできる構造にした。　又、本発明により、傾斜板▲９▼の設置角度を９０度以上に変更できるので、傾斜板▲９▼の表面より重力、又は気泡により粘性のある沈殿物の除去が可能となり、傾斜板▲９▼間の閉塞を防止しできる。従って、沈殿物に粘性がある廃水でも、傾斜板沈降装置の使用が可能となる。【選択図】図−１
2004082116.tif 000002
【特許請求の範囲】
【請求項１】
　廃水処理装置における傾斜板沈降装置の傾斜板設置角度を、前後２枚の傾斜板▲９▼の支持支点（穴▲１６▼、穴▲１７▼）を固定棒▲５▼と移動棒▲８▼に設置し、同支持支点（穴▲１６▼、穴▲１７▼）を平行四辺形とし、傾斜板▲９▼を固定棒▲５▼より吊り下げ、移動棒▲８▼を移動させることにより傾斜板▲９▼の設置角度が変更できる傾斜板沈降装置
【請求項２】
　廃水処理装置における傾斜板沈降装置の傾斜板の設置角度を変更できる傾斜板沈降装置において、請求項１の傾斜板▲９▼の両サイドに傾斜板▲９▼を支持し設置角度を変更する為の移動棒▲８▼、固定棒▲５▼、回転棒▲６▼、回転棒▲７▼をピン構造で接合した部材を設置し、固定支点▲１▼、固定支点▲２▼、移動支点▲３▼、移動支点▲４▼を平行四辺形とし、回転棒▲６▼、回転棒▲７▼を固定支点▲２▼、固定支点▲１▼、を中心に回転させることにより移動棒▲８▼を移動させる方法
【請求項３】
　請求項１と請求項２を含む傾斜板沈降装置に於いて、傾斜板沈降装置を複数段設置した時、下段に設置した傾斜板▲２１▼を上段の傾斜板▲９▼に使用する移動棒▲８▼で吊り下げ、支点▲２０▼を有する下段に設置した傾斜板▲２１▼の移動棒▲２４▼を上下方向のみ自由にスライドできる構造とし、上段に使用する傾斜板▲９▼に使用する移動棒▲８▼で下部の傾斜板▲２１▼の設置角度が変更できる事とした傾斜板▲９▼を複数段設置する方法。
【発明の詳細な説明】
【発明の詳細な説明】
【発明の属する技術】
【０００１】　本発明は、廃水処理における固液分離を行う為の、傾斜板沈降装置に関するものである。
【背景技術】
【０００２】　傾斜板沈降装置は固液分離の沈殿池に設置して、沈殿の有効面積を増加し、廃水処理における固液分離特性を向上させるものである。
　傾斜板の有効面積は下記の式で示される。
　傾斜板有効面積＝傾斜板実面積×ＣＯＳ（傾斜板設置角度）
　上式より、傾斜板設置角度は小さいほど有効面積が大きくなる。従って傾斜板設置角度は傾斜板沈降装置の性能に大きく影響する。
　尚、傾斜板の表面に沈殿した沈殿物は、重力により傾斜板表面を滑り落ち、自然落下する。その為、傾斜板設置角度の低下には限界がある。通常、沈殿物が傾斜板より滑り落ちる限界を考慮し、傾斜板設置角度は６０度にて使用される場合が多い。
　又、沈殿物に粘性があると重力だけでは、沈殿物が傾斜板表面を滑り落ちず、傾斜板の間に沈殿物が堆積し閉塞する。傾斜板の閉塞を防止する為、傾斜板の下部に空気を吹き込んで傾斜板を洗浄する場合もある。しかし、空気を吹き込んでも気泡が当たるのは傾斜板の裏面であり傾斜板の表面を洗浄する事は出来ない。
　傾斜板沈降装置の適用廃水の範囲を広げる為、又、維持管理面からも傾斜板設置角度を９０℃以上に変更することが求められる。
　しかし、従来、傾斜板設置角度を変更する場合、傾斜板に曲げ力、圧縮力を発生させた。その為、傾斜板の構造は強靭性が必要となり、具現化が困難であり、傾斜板は設置角度を固定化して使用していた。
　又、沈殿物に粘性がある廃水には、沈殿物により傾斜板が閉塞するので傾斜板沈降装置は使用できなかった。
【発明が解決しようとする課題】
【０００３】　傾斜板▲９▼の設置角度を簡単な構造で９０℃以上変更できれば、可変式傾斜板の具現化が可能となり、その結果、傾斜板▲９▼の清掃が容易となるので、沈殿物に粘性がある廃水にも傾斜板沈降装置の適用が可能となる。
【課題を解決するための手段】
【０００４】　本発明は、図−１に示す如く、前後２枚の傾斜板▲９▼の支持支点（穴▲１６▼、穴▲１７▼）を平行四辺形とし、傾斜板▲９▼を支持する、固定棒▲５▼、回転棒▲６▼、回転棒▲７▼、移動棒▲８▼、の部材を、固定支点▲１▼、固定支点▲２▼、移動支点▲３▼、移動支点▲４▼、で接合する支点を平行四辺形とする事により、傾斜板▲９▼の設置角度の変更が簡単にできる構造にした。又、傾斜板▲９▼を固定棒▲５▼より吊り下げ、傾斜板▲９▼の下部を支持する為に移動棒▲８▼を設置し、傾斜板▲９▼に引張力を発生させる構造とする事により、傾斜板▲９▼の機械的強度不足を補い、沈殿物による傾斜板▲９▼の曲がりを解決した。
　本発明では、傾斜板設置角度を９０度にすると、傾斜板▲９▼は垂直となる。その為、傾斜板▲９▼表面の沈殿物が傾斜板▲９▼表面より重力により容易に滑り落ちることになる。
　更に本発明では傾斜板設置角度を９０度以上にすることができので傾斜板▲９▼表面の沈殿物は重力により剥離し傾斜板▲９▼より直接落下することになる。又、この時、傾斜板▲９▼の下部より空気を吹き込むと、気泡が傾斜板▲９▼表面に付着した沈殿物に直接当たり粘着性のある沈殿物でも傾斜板▲９▼表面より剥離できる。
【発明の実施形態】
【０００５】　次に本発明の傾斜板▲９▼を１段設置した場合の実施形態について説明する
　図−１は傾斜板▲９▼を１段設置した場合の実施例側面図を示す。
　図−２は図−１のＡ−Ａ断面を示している。
　図−３は傾斜板▲９▼を支持する構造の説明図を示す
　本発明の傾斜板沈降装置は、廃水処理装置の沈殿池に設置した傾斜板▲９▼の設置角度を可変式にしたものであり、固定支点▲１▼、固定支点▲２▼、移動支点▲３▼、移動支点▲４▼、固定棒▲５▼、回転棒▲６▼、回転棒▲７▼、移動棒▲８▼、傾斜板▲９▼、上部ピン▲１０▼、下部ピン▲１１▼、前段吊上ロープ▲１２▼、後段吊上ロープ▲１３▼、ロープ駆動装置▲１４▼、ロープガイド▲１５▼、により構成される。固定棒▲５▼には傾斜板の設置枚数と同じ数の穴▲１６▼が有る。移動棒▲８▼には傾斜板の設置枚数と同じ数の穴▲１７▼が有る。又、傾斜板▲９▼にはスリット▲１８▼がある。
　固定支点▲１▼、固定支点▲２▼、移動支点▲３▼、移動支点▲４▼、を結ぶと平行四辺形となり、固定支点▲１▼、固定支点▲２▼、は固定棒▲５▼により固定される。この固定棒▲５▼は沈殿池に固定され、傾斜板を吊り下げる。
　この平行四辺形において、固定棒▲５▼を固定辺として変形する構造となっており、移動棒▲８▼の移動量により傾斜板▲９▼の設置角度を変更する。
　回転棒▲６▼は、固定支点▲２▼を中心として回転する。回転棒▲７▼は、固定支点▲１▼を中心として回転する。
　移動棒▲８▼は、回転棒▲６▼の移動支点▲３▼と回転棒▲７▼の移動支点▲４▼により支持され、回転棒▲６▼、回転棒▲７▼の動きに連動する。
　傾斜板▲９▼の上部には上部ピン▲１０▼が固定し取り付け取り付けられ、傾斜板▲９▼の下部には下部ピン▲１１▼が固定し取り付けられている。
　この上部ピン▲１０▼と下部ピン▲１１▼は傾斜板▲９▼の一部を丸めて設置する。尚、上部ピン▲１０▼と下部ピン▲１１▼を傾斜板▲９▼に取り付ける方法は、溶接でも、圧着でも一体化したものでも良い。　この事により、傾斜板▲９▼の横方向の強度が増加する。又、傾斜板▲９▼の縦方向にスリット▲１８▼を複数入れることにより縦方向の強度が増加する。
　固定棒▲５▼には、傾斜板▲９▼の上部ピン▲１０▼を挿入できる穴▲１６▼が開いている。傾斜板▲９▼は両サイドの上部ピン▲１０▼を穴▲１６▼に挿入し固定棒▲５▼に吊り下げる。又、移動棒▲８▼には、傾斜板▲９▼の下部ピン▲１１▼を挿入できる穴▲１７▼が開いている。傾斜板▲９▼は両サイドの下部ピン▲１１▼を穴▲１７▼に挿入し下部を支持し、移動棒▲８▼を移動させ傾斜板▲９▼の設置角度を変更する。穴▲１７▼は馬蹄形にする事により傾斜板▲９▼の製作誤差が吸収できる。
　上部ピン▲１０▼は穴▲１６▼の中で自由に回転できる。又、下部ピン▲１１▼も穴▲１７▼の中で自由に回転できる。傾斜板▲９▼の下部ピン▲１１▼は移動棒▲８▼の重量により下方に引っ張られるので、傾斜板▲９▼には引張力が働き、縦方向に曲がりにくくなる。
　前後２枚の傾斜板▲９▼の支持支点（穴▲１６▼、穴▲１７▼）は平行四辺形となる。この事により、移動棒▲８▼、が前後に移動すると傾斜板▲９▼の設置角度は変更される。
　移動棒▲８▼は回転棒▲６▼、回転棒▲７▼が固定支点▲２▼、固定支点▲１▼を支点とし回転する事により移動される。この時、移動棒▲８▼、回転棒▲６▼、回転棒▲７▼は傾斜板▲９▼の両サイドに設置され、同一に動く構造とする。
　回転棒▲６▼は、前段吊上ロープ▲１２▼により引っ張られ回転する。回転棒▲７▼は、後段吊上ロープ▲１３▼に引っ張られ回転する。
　通常時、傾斜板▲９▼は図−１に於いて移動支点▲３▼に位置で使用される。
　傾斜板▲９▼を掃除する時、後段吊上ロープ▲１３▼をロープ駆動装置▲１４▼、にて引っ張ると、回転棒▲６▼、回転棒▲７▼、が固定支点▲２▼、固定支点▲１▼を支点として回転し、移動支点▲３▼、移動支点▲４▼、は３’、４’に移動し傾斜板▲９▼の設置角度が大きくなり、傾斜板▲９▼表面より沈殿物が除去される。
　前段吊上ロープ▲１２▼をロープ駆動装置▲１４▼にて引っ張ると、回転棒▲６▼、回転棒▲７▼、が固定支点▲２▼、固定支点▲１▼を支点として回転し、移動支点▲３▼、移動支点▲４▼、は３’、４’の位置より通常の位置に移動し傾斜板▲９▼の沈降装置としての効果を発揮し廃水中の沈殿物が除去される。
　尚、前段吊上ロープ▲１２▼と後段吊上ロープ▲１３▼は、一体でも、分離でも良い。又、傾斜板▲９▼の両サイド回転棒▲６▼、回転棒▲７▼に対し夫々１本、又は２本のケースがある。　又、前段吊上ロープ▲１２▼と後段吊上ロープ▲１３▼は、ロープガイド▲１５▼によりガイドされる。
　上記の構造物を傾斜板▲９▼の両サイドに設置し動きを連動させることにより傾斜板▲９▼の設置角度を変更することが出来る。尚、前段吊上ロープ▲１２▼と後段吊上ロープ▲１３▼は一本で両サイドの移動棒▲８▼を移動させる事も出来る。
　傾斜板▲９▼の設置角度を変更する場合、ロープの替わりにチェーンとすることもできる。又、直接回転力を回転棒▲６▼、回転棒▲７▼の固定支点▲１▼、固定支点▲２▼に加えて回転させる事も可能である。
　又、傾斜板▲９▼の設置角度を保持する為、回転棒▲６▼、回転棒▲７▼、移動棒▲８▼にストッパーを設置し、常時ロープに張力が発生することを防止する。
　固定棒▲５▼と移動棒▲８▼には穴▲１６▼、穴▲１７▼があるが、穴の替わりに、傾斜板▲９▼の上部ピン▲１０▼と下部ピン▲１１▼を支持できる固定座を設置しても良い。
　次に本発明の傾斜板▲９▼を２段設置した場合の実施形態について説明する
　図−４は傾斜板▲９▼を２段設置した場合の実施例側面図を示す。
　沈殿池が深い場合は、傾斜板▲９▼の長さに限界があるので傾斜板▲９▼を複数段設置する。この場合は、上部傾斜板▲９▼の移動棒▲８▼に下部に設置する傾斜板▲２１▼を吊り下げる上部ピン▲１０▼の穴▲２２▼を設置する。
　下部に設置した傾斜板▲２１▼の設置角度を変更する方法は上部に設置した傾斜板▲９▼の移動棒▲８▼により行う。又、傾斜板▲２１▼の支持は上部の傾斜板▲９▼と同じであり、前後２枚の傾斜板▲２１▼の支持支点（穴▲２２▼、穴▲２３▼）を平行四辺形となるように設置する。
　下部の傾斜板▲２１▼の移動棒▲２４▼は下部の回転棒▲２５▼、が支点▲２０▼を支点とし回転する事により上下方向に移動される。この時、支点▲２０▼は上下方向を自由にスライドできる構造とする。しかし、水平方向の動きを抑制し下部に設置した傾斜板▲２１▼の設置角度の変更を可能にする。尚、支点▲１９▼は移動支点▲３▼と同じ場所でも図−４の如く別々でも良い。
【発明の効果】
【０００６】　通常、傾斜板▲９▼の設置角度は沈殿物が傾斜板▲９▼より滑り落ちる限界より６０度で使用する場合が多い。しかし、清掃時に傾斜板▲９▼の設置角度を可変出来るのなら、通常時の傾斜板設置角度を６０度以下で使用できる。すなわち、傾斜板沈降装置の有効面積を増加できる。
　又、本発明は、傾斜板▲９▼の設置角度を９０度以上に変更できるので、傾斜板▲９▼の表面より重力、又は気泡により粘性のある沈殿物の除去が可能となり、傾斜板▲９▼間の閉塞を防止しできる。従って、沈殿物に粘性がある廃水でも、傾斜板沈降装置の使用が可能となる。
【図面の簡単な説明】
【０００７】
【図−１】
本発明の実施形態…傾斜板▲９▼を１段設置した場合の実施例側面図
【図−２】
本発明の実施形態…図−１のＡ−Ａ断面図
【図−３】
本発明の実施形態…傾斜板▲９▼を支持する構造の説明図
【図−４】
本発明の実施形態…傾斜板▲９▼を２段設置した場合の実施例側面図
【符号の説明】
【０００８】▲１▼は固定支点、▲２▼は固定支点、▲３▼は移動支点、▲４▼は移動支点、▲５▼は固定棒、▲６▼は回転棒、▲７▼は回転棒、▲８▼は移動棒、▲９▼は傾斜板、▲１０▼は上部ピン、▲１１▼は下部ピン、▲１２▼は前段吊上ロープ、▲１３▼は後段吊上ロープ、▲１４▼はロープ駆動装置、▲１５▼はロープガイド、▲１６▼は穴、▲１７▼は穴、▲１８▼はスリット、▲１９▼は支点、▲２０▼は支点　▲２１▼は下部に設置した傾斜板、▲２２▼は傾斜板▲２１▼を吊り下げる上部ピンの穴　▲２３▼は傾斜板▲２１▼を吊り下げる下部部ピンの穴、▲２４▼は下部の傾斜板▲２１▼の移動棒　▲２５▼は下部傾斜板▲２１▼の回転棒
【図−１】
2004082116.tif 000003
【図−２】
2004082116.tif 000004
【図−３】
2004082116.tif 000005
【図−４】
2004082116.tif 000006